(57)【要約】【課題】本発明の目的は、デザイン性が高く厚みの薄い庇及びその組立方法を提供することにある。【解決手段】本発明は、建物の開口の上に取り付けられる庇である。この庇は、骨格となる枠体１２及び枠体１２に囲まれる領域を被覆するカバー９から形成される庇の本体１０と、本体１０の前方及び側方に張り出し、本体１０の厚みよりも薄く形成された薄肉部１１と、を備えている。薄肉部１１の少なくとも一部９ｉ、９ｊは、カバー９の枠体１２の下面を被覆する部分９ｈと一体に形成されている。【選択図】        図１
2004211374.tif 000002
【特許請求の範囲】
【請求項１】
建物の開口の上に取り付けられる庇であって、
骨格となる枠体及び該枠体に囲まれる領域を被覆するカバーから形成される前記庇の本体と、該本体の前方及び側方に張り出し、前記本体の厚みよりも薄く形成された薄肉部と、を備え、
前記薄肉部の少なくとも一部は、前記カバーの前記枠体の下面を被覆する部分と一体に形成されていることを特徴とする庇。
【請求項２】
前記カバー及び前記薄肉部は、波形の起伏を連続的に折曲形成した金属波板の上下端に、金属平板を接合してなる金属製パネルから形成されていることを特徴とする請求項１記載の庇。
【請求項３】
建物の開口の上に取り付けられる庇であって、
骨格となる枠体及び該枠体に囲まれる領域を被覆するカバーから形成される前記庇の本体と、該本体に固定され、前記庇を前記建物に取着すると共に前記庇の前記建物への設置位置を調整可能な調整部材と、を備え、
前記本体内には、前記枠体に固定され、前記枠体の上面と連続する上面を有し、前記調整部材が固定される調整部材支持体が設置され、
前記調整部材は、
前記調整部材支持体の前記上面に螺合され、螺子部が前記調整部材支持体の上面及び前記カバーを貫通して上方に突出する第一のボルトと、
該第一のボルトの挿通孔が穿設された庇連結部及び前記建物の外壁に突出する腕木と連結される腕木連結部を備える連結金物と、を備え、
前記第一のボルトの前記螺子部は前記庇連結部の前記挿通孔を貫通すると共に、前記螺子部には、前記庇連結部の前記挿通孔の上に配置されるナットが螺合され、
前記第一のボルトの前記螺子部は、組み付け時に前記ナットが上下移動可能な間隔を含む所定の長さに形成され、
前記ナットは、前記間隔の範囲内で上下に移動可能であることを特徴とする庇。
【請求項４】
前記連結金物は、略板体からなる前記庇連結部と、略板体からなる前記腕木連結部とが、略垂直に連続して形成され、
前記腕木連結部には、前記腕木と連結するための第二のボルトの挿通孔が穿設され、
該挿通孔には、該挿通孔と前記腕木に穿設された挿通孔とを貫通して、前記腕木と前記連結金物とを連結する前記第二のボルトが挿通され、
前記腕木連結部の前記挿通孔は、前記庇の上下方向の長さよりも前記庇の前後方向の長さが大きく形成されていることを特徴とする請求項３記載の庇。
【請求項５】
前記調整部材支持体は、該調整部材支持体の前記上面に形成された前記第一のボルトの螺合部が、前記調整部材支持体の下側に露出していることを特徴とする請求項３記載の庇。
【請求項６】
建物の開口の上に取り付けられる庇の組立方法であって、
骨格となる枠体に、該枠体の上面と連続する上面を有し前記枠体内に収納される調整部材支持体を固定し、前記枠体及び該枠体に囲まれる領域の少なくとも上面を上面カバーで被覆し、螺子部が前記調整部材支持体の前記上面及び前記上面カバーを貫通して上方に突出し前記建物に前記庇を取り付けるためのボルトを、前記調整部材支持体の前記上面に螺合する工程と、
前記枠体及び該枠体に囲まれる領域のうち前記上面カバーで被覆されていない面を下面カバーで被覆する工程と、を行うことを特徴とする庇の組立方法。
【発明の詳細な説明】
【０００１】
【発明の属する技術分野】
本発明は庇及びその組立方法に係り、特に厚みの薄い庇及びその組立方法に関する。
【０００２】
【従来の技術】
従来より、鋼製等の枠組みをカバー材で被覆して形成された玄関用の庇が広く用いられている（例えば、特許文献１）。
【０００３】
【特許文献１】
特開平８−２０９８００号公報
この特許文献１には、断面コ字形状のチャンネル材からなる軸組み材を四角枠状に組んだフレームの周りを、塩化ビニール等の被覆層を有する鋼板からなるカバー部材で被覆した玄関庇が記載されている。
【０００４】
しかし、この特許文献１に代表されるような従来の庇は、庇全体の厚さが大きいために、建物全体のデザインからするとマイナス要因になるという問題点があった。
近年、生活スタイルの変化に伴い、シンプルでかつ洗練されたデザインの住宅への人気が高まっているが、シンプルでかつ洗練されたデザインの住宅では、上記従来の庇のように厚みが大きい庇を設置すると、建物全体のデザインのバランスが崩れるという問題点があった。
【０００５】
デザイン性の向上に対する要求から、厚みの薄い庇を提供すべく開発が進められているが、厚みの薄い庇は強度を維持し難いと共に、強度の低さに起因する傾きや歪みなどが発生しやすい傾向があるため、強度が高く、歪みの少ない薄い庇は知られていない。
【０００６】
【発明が解決しようとする課題】
本発明の目的は、上記問題点を解決することにあり、デザイン性が高く厚みの薄い庇及びその組立方法を提供することにある。
また、本発明の他の目的は、厚みが薄いにも拘わらず、庇自体の強度が強く、加工誤差による傾きを簡単に修正可能な庇及びその組立方法を提供することにある。
【０００７】
【課題を解決するための手段】
上記課題は、請求項１に係る発明によれば、建物の開口の上に取り付けられる庇であって、骨格となる枠体及び該枠体に囲まれる領域を被覆するカバーから形成される前記庇の本体と、該本体の前方及び側方に張り出し、前記本体の厚みよりも薄く形成された薄肉部と、を備え、前記薄肉部の少なくとも一部は、前記カバーの前記枠体の下面を被覆する部分と一体に形成されていることにより解決される。
【０００８】
このように構成しているため、通常、庇は下方向から見上げられるが、下から見上げたときに、庇の外周である薄肉部の端部が見えて、極薄い庇であるという印象を与えることができる。他方、庇の中央部分は骨格となる枠体があるため、庇全体としては、強度の強いものとなる。
また、前記薄肉部の少なくとも一部は、前記カバーの前記枠体の下面を被覆する部分と一体に形成されているため、庇の下面に貼り合せ部がなく、庇を下側から見たときに美観が良好である同時に、薄肉部が本体から剥離し難くなり、薄肉部の強度を向上させることが可能となる。
【０００９】
このとき、カバー及び前記薄肉部は、波形の起伏を連続的に折曲形成した金属波板の上下端に、金属平板を接合してなる金属製パネルから形成されていると好適である。
このように構成しているため、薄肉部が極薄く軽量の庇を、低コストで構成することが可能となる。
【００１０】
上記課題は、請求項３に係る発明によれば、建物の開口の上に取り付けられる庇であって、骨格となる枠体及び該枠体に囲まれる領域を被覆するカバーから形成される前記庇の本体と、該本体に固定され、前記庇を前記建物に取着すると共に前記庇の前記建物への設置位置を調整可能な調整部材と、を備え、前記本体内には、前記枠体に固定され、前記枠体の上面と連続する上面を有し、前記調整部材が固定される調整部材支持体が設置され、前記調整部材は、前記調整部材支持体の前記上面に螺合され、螺子部が前記調整部材支持体の上面及び前記カバーを貫通して上方に突出する第一のボルトと、該第一のボルトの挿通孔が穿設された庇連結部及び前記建物の外壁に突出する腕木と連結される腕木連結部を備える連結金物と、を備え、前記第一のボルトの前記螺子部は前記庇連結部の前記挿通孔を貫通すると共に、前記螺子部には、前記庇連結部の前記挿通孔の上に配置されるナットが螺合され、前記第一のボルトの前記螺子部は、組み付け時に前記ナットが上下移動可能な間隔を含む所定の長さに形成され、前記ナットは、前記間隔の範囲内で上下に移動可能であることにより解決される。
【００１１】
このように構成しているため、庇の建物への取り付け高さを微調整することが可能となり、庇に加工誤差があった場合でも、庇を真っ直ぐ取り付けることが可能となる。その結果、工場での庇製造時に、加工精度を厳密に要求する必要がなくなり、製造コストの低減を図ることが可能となる。
【００１２】
このとき、前記連結金物は、略板体からなる前記庇連結部と、略板体からなる前記腕木連結部とが、略垂直に連続して形成され、前記腕木連結部には、前記腕木と連結するための第二のボルトの挿通孔が穿設され、該挿通孔には、該挿通孔と前記腕木に穿設された挿通孔とを貫通して、前記腕木と前記連結金物とを連結する前記第二のボルトが挿通され、前記腕木連結部の前記挿通孔は、前記庇の上下方向の長さよりも前記庇の前後方向の長さが大きく形成されていると好適である。
【００１３】
このように構成しているため、第二のボルトの締結位置を腕木連結部の挿通孔の建物前後方向で適宜選択することにより、建物への庇の前後方向の取り付け位置を微調整することが可能となる。従って、庇に加工誤差があった場合でも、庇を真っ直ぐ取り付けることが可能となる。その結果、工場での庇製造時に、加工精度を厳密に要求する必要がなくなり、製造コストの低減を図ることが可能となる。
【００１４】
このとき、前記調整部材支持体は、該調整部材支持体の前記上面に形成された前記第一のボルトの螺合部が、前記調整部材支持体の下側に露出していると好適である。
このように構成しているため、第一のボルトを、調整部材支持体の下側から締め付けることが可能となる。
【００１５】
上記課題は、請求項６に係る発明によれば、建物の開口の上に取り付けられる庇の組立方法であって、骨格となる枠体に、該枠体の上面と連続する上面を有し前記枠体内に収納される調整部材支持体を固定し、前記枠体及び該枠体に囲まれる領域の少なくとも上面を上面カバーで被覆し、螺子部が前記調整部材支持体の前記上面及び前記上面カバーを貫通して上方に突出し前記建物に前記庇を取り付けるためのボルトを、前記調整部材支持体の前記上面に螺合する工程と、前記枠体及び該枠体に囲まれる領域のうち前記上面カバーで被覆されていない面を下面カバーで被覆する工程と、を行うことにより解決される。
【００１６】
このように、螺子部が前記調整部材支持体の前記上面及び前記上面カバーを貫通して上方に突出し前記建物に前記庇を取り付けるためのボルトを、前記調整部材支持体の前記上面に螺合する工程の後で、前記枠体及び該枠体に囲まれる領域の周囲のうち前記上面カバーで被覆されていない面を下面カバーで被覆する工程を行うため、建物に庇を取り付けるためのボルトの頭部を、庇の下面カバーで覆うことが可能となり、人の目に付きやすい庇の下面の美観を向上させることができる。
【００１７】
【発明の実施の形態】
以下、本発明の一実施形態を図面に基づいて説明する。なお、以下に説明する部材，配置等は本発明を限定するものでなく、本発明の趣旨の範囲内で種々改変することができるものである。
本実施形態の庇１は、図１に示すように、建物Ｈの玄関２１の上に設置される庇である。
図１は、庇１が玄関２１の上に取り付けられた状態を示す斜視図、図２は、庇１の本体１０及び薄肉部１１の平面図、図３は、庇１の本体１０内部の枠体１２等の配置を示す説明図、図４は、図２のＡ−Ａ線断面図、図５は、図２のＢ−Ｂ線断面図である。
【００１８】
図１は、庇１の建物Ｈへの取り付け状態を示しており、庇１と、庇１を建物Ｈ側に固定する連結金物２と、建物Ｈの外壁から突出し連結金物２と連結される腕木３、４と、を示している。
庇１は、厚みの厚い本体１０と、本体１０の前方及び側方に張り出し、本体１０よりも厚みの薄い薄肉部１１と、本体１０の上面から突出して固定されている上下調整部材７と、本体１０の建物Ｈ側に形成された樋５を備えている。
【００１９】
本体１０は、図３の点線で示す枠体１２の周りを、図５に示すように、枠体１２ごとカバー９で被覆して形成されている。
本体１０は、枠体１２と、上下調整部材７を固定するための調整部材支持体１４と、各調整部材支持体１４の間に固定される支持体固定枠体１３と、カバー９と、を主要構成要素としている。
【００２０】
枠体１２は、断面四角形の筒体からなる鋼材を、図３の点線で示すように長方形に組んだ枠状体である。枠体１２は、高さ約５４ｍｍの鋼材から形成されている。
調整部材支持体１４は、図４、図６に示すように、下側の面が開口となった断面略コの字状のＣチャンネル鋼材からなる。
【００２１】
図６のように、調整部材支持体１４の建物Ｈ側の端部は、上側の面１４ａから連続すると共に上側の面１４ａに対して垂直に形成された連結面１４ｂとして形成されている。連結面１４ｂには、枠体１２に連結するための螺子孔１４ｃが穿設されている。
調整部材支持体１４の上側の面１４ａには、上下調整部材７の後述するボルト７ａを螺合するための螺子孔１４ｄが穿設されている。
調整部材支持体１４の下側の面が開口となっているため、螺合部としての螺子孔１４ｄは、調整部材支持体１４の下側に露出され、調整部材支持体１４の下側からボルト７ａを螺子孔１４ｄに螺合させることが可能となる。
【００２２】
支持体固定枠体１３は、断面四角形の筒体からなる鋼材を、図３の点線で示すように長方形に組んだ枠体である。鋼材としては、枠体１２と同じ鋼材を用いている。
図３のように、調整部材支持体１４は、枠体１２の側方の鋼材１２ｂに隣り合う位置にそれぞれ一つずつ配置されている。また、一つずつ配置された調整部材支持体１４の間隔を３等分するように、間に二つ配置されている。
【００２３】
四つの調整部材支持体１４の間には、それぞれ一つずつ支持体固定枠体１３が配置されている。
これらの枠体１２、調整部材支持体１４、支持体固定枠体１３により、庇１の軸組が形成される。
【００２４】
カバー９は、図８に示す公知のアルミニウム製パネルからなる。カバー９に用いられるパネルは、アルミニウム製の２枚の平板９１、９２の間に、波形の起伏が連続的に折曲形成されたアルミニウム製のコルゲートコア９３が、平板９１、９２とコルゲートコア９３とが当接する線で接着剤により固定されている。
【００２５】
本実施形態では、厚さ約６ｍｍのアルミニウム製パネルを用いている。
本実施形態では、コルゲートコア９３が断面波形に折り曲げられたものを使用するが、コルゲートコア９３が断面台形、矩形、三角形、Ｍ形等に折り曲げられたものを使用してもよい。
また、コルゲートコアが平板に挟まれて形成されたパネルの代わりに、ハニカムパネル等を用いてもよい。
【００２６】
カバー９は、図５に示すように、本体１０の上面及び側面を被覆する上面カバー９ａと、本体１０の下面を被覆すると共に、薄肉部１１を構成する下面カバー９ｂと、から構成されている。
上面カバー９ａを展開した図を図７に示す。
上面カバー９ａは、本体１０の上面を被覆する長方形の上面被覆部９ｃと、上面被覆部９ｃの４つの辺からそれぞれ外側に張り出す４つの側面被覆部９ｄと、が一体に形成されている。
それぞれの側面被覆部９ｄは、上面被覆部９ｃの辺を一つの辺とする長方形から形成されている。
【００２７】
上面カバー９ａは、本体１０の上面と側面とを一体として被覆するため、本体１０の上面と側面とが交わる辺では、直角に折り曲げられる。
本体１０の上面と側面とが交わる辺における上面カバー９ａの直角の折り曲げ部を図８に示す。
上面カバー９ａの上面被覆部９ｃと側面被覆部９ｄの連続箇所では、図８（ａ）に示すように、上側の平板９１を角度９０°の頂点とし平板９２を底面とする、直角二等辺三角形状の切欠９ｅが形成されている。
【００２８】
上面カバー９ａの取り付け時には、上面被覆部９ｃを本体１０の上面に接着剤で固定した後、図８（ａ）の矢印Ｄ方向に側面被覆部９ｄを折り曲げて、図８（ｂ）のように形成し、本体１０の側面に接着剤で固定する。
また、各側面被覆部９ｄの側端面９ｆは、図９に示すように、上側の平板９１側よりも下側の平板９２側が短くなるよう、平板９１、９２に対し４５°の角度で切断しておく。これにより、各側面被覆部９ｄの組立時に、側端面９ｆ同士を当接可能になる。
なお、図７の側面被覆部９ｄの端面９ｇは、平板９１、９２の面に対し９０°の角度で切断されている。端面９ｇは、下面カバー９ｂの後述する薄肉部９ｊの平板９２と当接する面である。
【００２９】
下面カバー９ｂを展開した図を図１０に示す。
下面カバー９ｂは、本体１０の下面を被覆すると共に薄肉部１１の下面を形成する長方形の下面被覆部９ｈと、下面被覆部９ｈの４つの辺からそれぞれ外側に張り出す４つの厚み部９ｉと、それぞれの厚み部９ｉの外側に形成された４つの薄肉部上面部９ｊと、が一体に形成されている。
厚み部９ｉは、薄肉部１１の端面となる部分であり、下面被覆部９ｈの辺を長辺とし、カバー９の厚みの２倍の長さを短辺とする帯状体に形成されている。
薄肉部上面部９ｊは、厚み部９ｉの長辺を底辺とする台形から形成されている。
【００３０】
薄肉部１１は、図５に示すように、下面カバー９ｂと、薄肉部上面部９ｊとが重ねられて形成されている。
下面被覆部９ｈ、厚み部９ｉ、薄肉部上面部９ｊの連続箇所における折り曲げ部を図１１に示す。
【００３１】
下面カバー９ｂの下面被覆部９ｈと厚み部９ｉの連続箇所では、図１１（ａ）に示すように、下側の平板９２を角度９０°の頂点とし平板９１を底面とする、直角二等辺三角形状の切欠９ｅが形成されている。
また、下面カバー９ｂの厚み部９ｉと薄肉部上面部９ｊの連続箇所にも、図１１（ａ）に示すように、下側の平板９２を角度９０°の頂点とし平板９１を底面とする、直角二等辺三角形状の切欠９ｅが形成されている。
【００３２】
下面カバー９ｂの形成時には、下面被覆部９ｈの薄肉部上面部９ｊが重なる領域に、接着剤を塗布する。図１１（ａ）の矢印Ｆ方向に厚み部９ｉを折り曲げ、図１１（ｂ）の状態とする。その後、図１１（ｂ）の矢印Ｇ方向に薄肉部上面部９ｊを折り曲げ、接着剤で下面被覆部９ｈに固定する。
なお、薄肉部上面部９ｊの本体１０側端面９ｋは、平板９１、９２の平面に対し９０°の角度で切断されている。
端面９ｋは、枠体１２の側面に当接する面である。
【００３３】
通常、玄関２１上の庇１は、下から見上げられることが多い。下から見上げた場合には、庇１の前方及び側方の端部の厚みにより、庇１の厚みに関する印象が左右される。また、下から見上げた場合には、庇１の下面の外観が印象に残る。本実施形態では、薄肉部１１が本体１０の周囲に形成されているため、下から見上げた場合に、厚さ１０ｍｍ強の庇１の前方及び側方の端部が目に入り、庇１が極薄いという印象を与える。また、庇１の下面を構成する下面カバー９ｂが、一体として形成されているため、貼り合せ部が存在せず、庇１の下面の美観性が高い。
【００３４】
また、本実施形態では、図１に示す薄肉部１１の本体１０からの張り出し幅ｗを約１２０ｍｍとし、薄肉部１１と本体部１０との高さの差ｈを約５０ｍｍとして、ｈに対するｗの比率ｗ／ｈを２．４としている。
ｈに対するｗの比率を大きくすることにより、本体部１０が目立ち難くなる傾向、薄肉部１１の強度が低くなる傾向が強くなる。
【００３５】
逆に、ｈに対するｗの比率を小さくすることにより、本体部１０が目立ちやすくなる傾向、薄肉部１１の強度が高くなる傾向が強くなる。
ｗとｈとの比率ｗ／ｈは、約１．５以上約４．０以下、好適には、約１．８以上約３．０以下程度とすると、美観及び強度の点から好ましい。
【００３６】
樋５は、図１、図５に示すように、断面略コの字状の横長の容器体から形成されている。図２、図５に示すように、一方の端部側の底面には、水を下方に落下させるための開口が形成され、この開口に集水器２５が形成されている。
【００３７】
上下調整部材７は、図４に示すように、第一のボルトとしてのボルト７ａと、ナット７ｃ、７ｄ、７ｆと、を主要構成要素としている。
ボルト７ａは、公知のボルトからなり、調整部材支持体１４に下から螺合され、調整部材支持体１４、上面カバー９ａを貫通して上方に突出している。
ナット７ｃは、公知のナットからなり、ボルト７ａを本体１０に固定する役割を果たす。ナット７ｃと上面カバー９ａとの間には、ワッシャ７ｂが介装されている。
【００３８】
ナット７ｄは、ナット７ｃよりも上で、ボルト７ａに螺合されている。ナット７ｄは、後述する連結金物２をナット７ｆとの間で締め付けて支持する。
ナット７ｆは、連結金物２の上で、ボルト７ａに螺合されている。ナット７ｆは、ボルト７ａを介して庇１を吊り下げる役割を果たす。つまり、ナット７ｆの位置により、庇１の高さが決定される。ナット７ｆと連結金物２との間には、ワッシャ７ｅが介装されている。
【００３９】
ナット７ｄ、７ｆは、連結金物２と調整部材支持体１４との間の距離を微調整する役割を果たす。ナット７ｃと７ｄとの間には、間隔ｄが形成されている。
ナット７ｄ、７ｆを回してナット７ｄ、７ｆの高さを上下させることにより、間隔ｄが増減して連結金物２と調整部材支持体１４との距離が増減し、建物Ｈに対する庇１の設置高さ及び庇１の傾きを微調整することができる。
【００４０】
連結金物２は、鋼製からなり、図１２に示すように、略板状体からなる庇連結部２ａと、略板状体からなる腕木連結部２ｂと、が連続して垂直に形成された断面略Ｌ字状体である。
庇連結部２ａには、ボルト７ａを挿通させるためのボルト挿通孔２ｃが二つ穿設されている。
また、腕木連結部２ｂには、連結金物２を後述する腕木３、４と連結させる第二のボルトとしてのボルト６を挿通させるための挿通孔２ｄが二つ穿設されている。
【００４１】
挿通孔２ｄは、挿通孔２ｃよりも建物Ｈ側の位置に設けられている。
また、挿通孔２ｄは、庇１の上下方向である縦の長さＬ１よりも庇１の前後方向である横の長さＬ２が大きくなるように形成されている。
これにより、ボルト６は長さＬ２の間のどの位置でも締結可能であるため、ボルト６の締結位置をＬ２の間で選択することにより、建物Ｈに対する庇１の設置位置を前後方向に調整することが可能となる。
上下調整部材７と連結金物２が、特許請求の範囲の調整部材を構成している。
【００４２】
腕木４は、下辺に対して建物Ｈ側の辺及び先端側の辺が直角であり、建物Ｈ側の辺より先端側の辺の長さが短くなるよう上辺が傾斜した台形からなり、建物Ｈの外壁から突出している。
腕木４は、図５に示すように、建物Ｈ側の端部がパネル２４に固定され、パネル２４が庇支持体２２を介して軒桁２３に固定されている。
【００４３】
腕木４の腕木連結部２ｂの挿通孔２ｄに対応する位置には、不図示のボルト挿通孔が二つ穿設され、このボルト挿通孔に、図１、図２、図４のように、ボルト６が挿通されている。
このボルト６は、腕木連結部２ｂ側をナット８で締められ、腕木４と連結金物２の腕木連結部２ｂとを連結している。
腕木４は、図１に示すように、玄関２１の上の中央付近に二つ設置されている。腕木４の外側には、腕木３がそれぞれ一つずつ設置されている。
腕木３は、形状が横長の略長方形からなる点を除いては、腕木４と同様であるので、説明を省略する。
【００４４】
次に、本実施形態の庇１の組立方法について説明する。
まず、断面四角形の筒体からなる鋼材を組み、図３の点線のように枠体１２を形成する。次いで、枠体１２の建物Ｈ側の鋼材１２ａの４箇所に、それぞれ、調整部材支持体１４の連結面１４ｂを螺子止めする。このとき、４つの調整部材支持体１４のうち両端に位置する調整部材支持体１４は、外側の側面１４ｅが枠体１２の側方の鋼材１２ｂに当接するように配置する。
【００４５】
次に、４つの調整部材支持体１４の間３箇所に、支持体固定枠体１３を挿入し、調整部材支持体１４と支持体固定枠体１３が当接する面を、相互に螺子止めする。また、両端の調整部材支持体１４の外側の側面１４ｅと枠体１２の側方の鋼材１２ｂとを螺子止めする。
以上で、本体１０の枠組みが完成する。
【００４６】
次いで、本体１０に上面カバー９ａを接着する。
この工程では、まず、アルミニウム製パネルを、図７に示す形状に切り出す。上面カバー９ａの上面被覆部９ｃと側面被覆部９ｄの連続箇所裏面に、図８（ａ）に示す切欠９ｅを形成する。また、側面被覆部９ｄの側端面９ｆを、図９に示すように、４５°の角度でカットする。
【００４７】
その後、上面カバー９ａを、接着剤で、枠体１２、調整部材支持体１４、支持体固定枠体１３の上面と、枠体１２の側面に固定する。
次いで、調整部材支持体１４の螺子孔１４ｄに対応する上面カバー９ａの８箇所に、ボルト７ａを挿通させるための挿通孔９ｍを穿設し、図１３（ａ）の状態として、上面カバー９ａの接着が完了する。
【００４８】
次いで、調整部材支持体１４に、上下調整部材７及び連結金物２を固定する工程を行う。
この工程では、まず、調整部材支持体１４の下側から、ボルト７ａを調整部材支持体１４の螺子孔１４ｄに螺合する。
ボルト７ａに、ワッシャ７ｂ、ナット７ｃ、ナット７ｄ、連結金物２、ワッシャ７ｅ、ナット７ｆを、この順で介装又は螺合させる。
同様の手順を、すべての調整部材支持体１４について行い、図１３（ｂ）の状態として、上下調整部材７及び連結金物２の固定が完了する。
【００４９】
次に、下面カバー９ｂの設置を行う。
この工程では、まず、アルミニウム製パネルを、図１０に示す形状に切り出す。
下面カバー９ｂの下面被覆部９ｈ、厚み部９ｉ、薄肉部上面部９ｊの連続箇所表面に、図１１（ａ）に示す切欠９ｅを形成する。
【００５０】
その後、下面カバー９ｂの下面被覆部９ｈを、接着剤で、枠体１２、調整部材支持体１４、支持体固定枠体１３の下面に固定する。下面被覆部９ｈの薄肉部上面部９ｊが重なる領域に、接着剤を塗布する。
厚み部９ｉを図１１（ａ）の矢印Ｆ方向に折り曲げ、薄肉部上面部９ｊを図１１（ｂ）の矢印Ｇ方向に折り曲げ、接着剤で薄肉部上面部９ｊを下面被覆部９ｈに固定し、薄肉部１１を形成する。
【００５１】
次いで、建物Ｈ側の薄肉部１１の上に、樋５を載せ、固定する。
その後、庇１及び樋５を塗装する。
薄肉部１１の樋５の開口に対応する箇所に、集水器２５を設置するための不図示の開口を穿設し、図１３（ｃ）の状態として、下面カバー９ｂの接着が完了する。
以上で、庇１の組立が完了する。
庇１の組立が完了すると、庇１は建築現場に搬送され、建物Ｈに設置される。
庇１の建物Ｈへの設置工程について説明する。
【００５２】
クレーンで庇１を玄関２１の上に持ち上げ、建物Ｈの腕木４の不図示のボルト挿通孔と、連結金物２の腕木連結部２ｂの挿通孔２ｄとに、ボルト６を通し、ナット８で締める。このとき、腕木４よりも連結金物２が内側になるようにする。
次いで、建物Ｈの腕木３の不図示のボルト挿通孔と、連結金物２の腕木連結部２ｂの挿通孔２ｄとに、ボルト６を通し、ナット８で締める。このとき、腕木３よりも連結金物２が内側になるようにする。
【００５３】
建物Ｈの庇１の取り付け位置、左右の傾斜角度を観察し、上下調整部材７及びボルト６により、庇１の取り付け位置、傾斜角度の微調整を行う。
具体的には、庇１の左右いずれかの高さが低い場合には、低い側の上下調整部材７のナット７ｄを高くなる方向に回し、ナット７ｃとナット７ｄとの間隔ｄを広げる。逆に、高い側の上下調整部材７のナット７ｄを低くなる方向に回し、ナット７ｃとナット７ｄとの間隔ｄを狭くする。
これにより、左右の傾斜角度の調整が可能である。
【００５４】
また、庇１の左右いずれかが前方に出ている場合には、出ている側のボルト６の位置を、挿通孔２ｄの前方側にずらす。逆に、奥にある側のボルト６の位置を、挿通孔２ｄの後方側にずらす。
これにより、前後の位置調整が可能である。
【００５５】
本実施形態では、連結金物２を断面Ｌ字状体から形成しているが、庇連結部２ａと腕木連結部２ｂとが垂直に構成された断面逆Ｔ字として構成してもよい。
また、連結金物２を断面略Ｃ字形のＣチャンネルから構成してもよい。
この場合、庇連結部２ａ、腕木連結部２ｂとが平行に形成され、庇連結部２ａと腕木連結部２ｂとの間が、庇連結部２ａ及び腕木連結部２ｂに対して垂直の板体で連結される。
また、腕木３、４も、庇１に対し平行になるよう、水平に設置される。
また、連結金物２を断面四角形の筒状体から構成してもよい。
【００５６】
【発明の効果】
以上のように本発明によれば、建物の開口の上に取り付けられる庇であって、骨格となる枠体及び該枠体に囲まれる領域を被覆するカバーから形成される前記庇の本体と、該本体の前方及び側方に張り出し、前記本体の厚みよりも薄く形成された薄肉部と、を備え、前記薄肉部の少なくとも一部は、前記カバーの前記枠体の下面を被覆する部分と一体に形成されているため、通常、庇は下方向から見上げられるが、下から見上げたときに、庇の外周である薄肉部の端部が見えて、極薄い庇であるという印象を与えることができる。他方、庇の中央部分は骨格となる枠体があるため、庇全体としては、強度の強いものとなる。
【００５７】
また、第一のボルトの前記螺子部は前記庇連結部の前記挿通孔を貫通すると共に、前記螺子部には、庇連結部の前記挿通孔の上に配置されるナットが螺合され、前記第一のボルトの前記螺子部は、組み付け時に前記ナットが上下移動可能な間隔を含む所定の長さに形成され、前記ナットは、前記間隔の範囲内で上下に移動可能であるため、庇の建物への取り付け高さを微調整することが可能となり、庇に加工誤差があった場合でも、庇を真っ直ぐ取り付けることが可能となる。その結果、工場での庇製造時に、加工精度を厳密に要求する必要がなくなり、製造コストの低減を図ることが可能となる。
【図面の簡単な説明】
【図１】本発明の一実施形態に係る庇が玄関の上に取り付けられた状態を示す斜視図である。
【図２】本発明の一実施形態に係る庇の本体及び薄肉部の平面図である。
【図３】本発明の一実施形態に係る庇の本体内部の枠体等の配置を示す説明図である。
【図４】図２のＡ−Ａ線断面図である。
【図５】図２のＢ−Ｂ線断面図である。
【図６】本発明の一実施形態に係る庇の調整部材支持体を示す斜視図である。
【図７】本発明の一実施形態に係る庇の上面カバーを示す展開図である。
【図８】本発明の一実施形態に係る庇の上面カバーを直角に折り曲げる工程を示す説明図である。
【図９】本発明の一実施形態に係る庇の上面カバーの端部を示す断面図である。
【図１０】本発明の一実施形態に係る庇の下面カバーを示す展開図である。
【図１１】本発明の一実施形態に係る庇の下面カバーを折り曲げて重ねる工程を示す説明図である。
【図１２】本発明の一実施形態に係る連結金物を示す斜視図である。
【図１３】本発明の一実施形態に係る庇の組立方法を示す説明図である。
【符号の説明】
Ｈ  建物
１  庇
２  連結金物
２ａ  庇連結部
２ｂ  腕木連結部
３、４  腕木
５  樋
６  ボルト
７  上下調整部材
７ａ  ボルト
９  カバー
９ａ  上面カバー
９ｂ  下面カバー
１０  本体
１１  薄肉部
１２  枠体
１３  支持体固定枠体
１４  調整部材支持体
２１  玄関
２２  庇支持体
２３  軒桁
２４  パネル
２５  集水器
９１、９２  平板
９３  コルゲートコア
【図１】
2004211374.tif 000003
【図２】
2004211374.tif 000004
【図３】
2004211374.tif 000005
【図４】
2004211374.tif 000006
【図５】
2004211374.tif 000007
【図６】
2004211374.tif 000008
【図７】
2004211374.tif 000009
【図８】
2004211374.tif 000010
【図９】
2004211374.tif 000011
【図１０】
2004211374.tif 000012
【図１１】
2004211374.tif 000013
【図１２】
2004211374.tif 000014
【図１３】
2004211374.tif 000015